(57)【特許請求の範囲】
【請求項１】
衣服であって、
（ａ）  ライナと、
（ｂ）  アウターシェルとを有し、該アウターシェルが、前記ライナから遠ざかる方向に向いた外部と、前記ライナーとの間に内側空間を形成するよう前記ライナに向いた内部とを備え、前記シェルには第１固定部分、第２固定部分が固定され、前記第１固定部分には開口部が構成され、前記シェルは、前記固定部分間に設けられた引っ張り可能な部分を有し、前記シェル及びライナは、胴体を包囲するような形状になっており、
（ｃ）  腹帯を有し、該腹帯は、前記内側空間内に設けられ、前記第１固定部分、第２固定部分にそれぞれ固定される第１端部、第２端部に取り付けられた弾性帯を有し、前記胴体を包囲する閉鎖経路が、前記腹帯及び前記引っ張り可能な部分を介して構成され、
前記第１端部は、
（i）  前記開口部を通って延び、
（ii）  前記シェルの前記外部に設けられた操作可能な部分を有し、
（iii）  前記引っ張り可能な部分を可変的に引っ張るために前記衣服を前記胴体の周りに羽織ったときに、前記弾性帯が、選択的に、第１、第２の距離、引き伸ばされるよう前記第１固定部分に固定される、
衣服。
【請求項２】
（ａ）シェル及びライナは、着用者の腹を包囲するような形状になった腹部分を有し、（ｂ）閉鎖経路は、腹部分の周りに延び、（ｃ）引っ張り可能な部分は、膨らみが弾性帯によって前部から除かれるよう腹部分の前部の全体にわたって延びていることを特徴とする請求項１記載の衣服。
【請求項３】
（ａ）シェル及びライナは、その頂縁及び底縁のところで互いに取り付けられ、（ｂ）内側空間は、実質的に頂縁と底縁との間に延びる、請求項２記載の衣服。
【請求項４】
腹部分を含む胴体部分を有するジャケットであって、
（ａ）  ライナと、
（ｂ）  前記ライナから遠ざかる方向に向いた外部及び前記ライナに向いた内部を備え、前記ライナーとの間に、前記胴部に延びる内側空間を構成するアウターシェルとを有し、該シェルには前記腹部分において第１固定部分及び第２固定部が固定され、前記第１固定部分には第１開口部が構成され、前記シェルが、前記固定部分間に設けられた引っ張り可能な部分を有し、
（ｃ）  腹帯を有し、該腹帯は、前記内側空間内に設けられ、前記第１固定部分、第２固定部分にそれぞれ固定される第１端部、第２端部に取り付けられた弾性帯を有し、前記胴体の周りの閉鎖経路が、前記腹帯及び前記引っ張り可能な部分を介して構成され、
前記第１端部が、
（i）  前記第１開口部を通って延び、
（ii）  前記シェルの前記外部に設けられた操作可能な部分を有し、
（iii）  前記引っ張り可能な部分を可変的に引っ張るために前記ジャケットを着たときに、前記弾性帯が、選択的に、第１、第２の距離、引き伸ばされるよう前記第１固定部分に固定される、
ジャケット。
【請求項５】
前記引っ張り可能な部分が前記腹部分の前部に設けられている、請求項４記載のジャケット。
【請求項６】
（ａ）前記腹帯は、前記第１端部に固定でき、第１開口部よりも大きな寸法に設定された固定具を有し、該固定具は、前記第１開口部を通り抜けないようになっている、請求項４記載のジャケット。
【請求項７】
（ａ）前記シェルは、その外部に設けられたポケットを有し、（ｂ）前記第１開口部は、前記第１端部及び固定具が前記ポケットの内部から互いに取り外し可能に固定できるよう前記ポケットの内部に設けられている、請求項６記載のジャケット。
【請求項８】
（ａ）前記固定具は、前記第１端部を前記シェルの前記外部から引っ張ると、前記固定具を保持するよう前記シェルに固定される、請求項６記載のジャケット。
【請求項９】
（ａ）前記弾性帯は、前記端部間の帯長さ及びこれに垂直な帯高さを有し、（ｂ）前記内側空間は、前記帯高さに平行であって、前記帯高さの少なくとも約３倍の空間高さを有している、請求項４記載のジャケット。
【請求項１０】
（ａ）前記ライナ及びシェルに前記引っ張り可能な部分で取り付けられたクロージャを有し、前記閉鎖経路は前記クロージャを閉じた時に構成される、請求項４記載のジャケット。
【請求項１１】
（ａ）前記腹帯は、前記第１端部及び第１固定部分に固定可能な固定具を有し、（ｂ）前記固定具は、前記第１端部及び第１固定部分に連結され、前記固定具は前記クロージャが開いているときにはこれらと連携した状態のままであり、前記クロージャを閉じたときには前記弾性帯を着用者の周りに自動的に引っ張るようになっている、請求項１０記載のジャケット。
【請求項１２】
（ａ）前記弾性帯は、その中間部分が前記ライナに固定されている、請求項４記載のジャケット。
【請求項１３】
（ａ）前記シェルの内部に取り付けられ、前記第１開口部と実質的に整列し、シェルを補強するため、前記第１端部を受け入れるウェブ開口部を有する補強ウェブを有する、請求項４記載のジャケット。
【請求項１４】
（ａ）前記補強ウェブは、前記シェルに取り付けられ、前記弾性帯からの張力を前記シェルの引っ張り可能な部分全体に拡散するために前記第１開口部よりも幅の広いベースを有する、請求項１３記載のジャケット。
【請求項１５】
（ａ）前記補強ウェブは、実質的に三角形の形をしたウェブから成る、請求項１４記載のジャケット。
【請求項１６】
（ａ）前記閉鎖経路を横切って前記シェルの前記引っ張り可能な部分に取り付けられ、前記弾性帯からの張力を前記引っ張り可能な部分全体にわたって拡散する張力拡散具を更に有する、請求項４記載のジャケット。
【請求項１７】
（ａ）前記張力拡散具は、前記閉鎖経路に沿って直列に前記シェルの引っ張り可能な部分に取り付けられた第１、第２の弾性部材を有し、前記弾性帯からの張力が前記引っ張り可能な部分全体にわたって拡散されるようになっている、請求項１６記載のジャケット。
【請求項１８】
（ａ）前記シェルは、前記第２固定部分に第２の開口部を構成し、（ｂ）前記第２端部は、
前記第２開口部を通って延び、
前記シェルの外部に設けられた、前記弾性帯の前記第１、第２の引き伸ばし距離を変化させるために前記第２固定部分に固定される
第２の操作可能な部分を有する、
請求項４記載のジャケット。
【請求項１９】
上体部分を有する衣服であって、
（ａ）胴体部分を有し、（ｂ）全体が第１及び第２のパネルを含む複数のパネルから成る肩部、肘部及び手首部を備えた袖を有し、第１及び第２のパネルは、肩部から手首部まで延びていて、後部継ぎ目によって互いに取り付けられており、（i ）肩部は、後部継ぎ目が肩部の後部から肘部の後部まで、そして手首部の後部まで延びるよう胴体部分に取り付けられ、（ii）第１及び第２のパネルは、後部継ぎ目のところで接合された後縁を有し、各後縁は、肘部に向かって減少する半径の凸状曲率を備え、
前記複数のパネルのうち２つは、肩部の前部から肘部の前部まで、そして手首部の前部まで延びる前部継ぎ目のところで互いに取り付けられた凹状前縁を有し、
前記第２のパネルは、凹状の底縁を有し、
前記複数のパネルは、肩部の底部から肘部の底部まで、そして手首部の底部まで延びる底部継ぎ目のところで第２のパネルの底縁に取り付けられた凸状底縁を備える第３のパネルを含む、
ことを特徴とする衣服。
【請求項２０】
肩部から手首部に向かってスリーブの長さの２／３以上にわたって延びるスリーブの少なくとも基端側部分には、プリーツが実質的に無いことを特徴とする請求項１９記載の衣服。
【請求項２１】
パネルの凸状縁は、肘部に向かって減少する曲率半径を有することを特徴とする請求項１９記載の衣服。
【請求項２２】
前記第３のパネルの底縁は平均曲率を有し、前記第２のパネルの底縁は、前記第３のパネルの平均曲率よりも小さな平均曲率を有し、前記第３のパネルの底縁の最小曲率半径は、前記第２のパネルの底縁の最小曲率半径よりも小さいことを特徴とする請求項２１記載の衣服。
【請求項２３】
パネルの縁は、平均曲率を有し、前記第１及び第２のパネルの凹状縁の平均曲率は、その凸状縁よりも湾曲の度合いが大きく、前記第３のパネルの凹状縁の平均曲率は、その凸状縁よりも湾曲の度合いが小さいことを特徴とする請求項１９記載の衣服。
【請求項２４】
前記肘部の最小半径は、前記肩部の頂部から前記手首部の頂部までの袖の長さの約３倍未満であることを特徴とする請求項１９記載の衣服。
【発明の詳細な説明】
【０００１】
〔発明の背景〕
全天候ジャケットは通常、ジャケットを断熱して水と風を遮ったままにするアウターシェル及びインナーライナを有している。ジャケットはまた一般に、立っている人にフィットするよう作られている。かくして、典型的なジャケットは、着る人が立っている場合にその着る人にスムーズにフィットするよう設計されているが、着ている人（以下、「着用者」という）の姿勢が真っ直ぐに立った状態以外の状態になると望ましくない場所でひだになる胴体部分及び袖を有している。
【０００２】
例えば着用者がゴルフをするとき、着用者は従来ジャケットには多くの欠点があることを経験している。適正なゴルフスタンスを取るには、着用者は身体の腰及び腹の部分のところを前へ曲げることが必要になる。着用者の正面側における肩から腰までの距離が減少すると、通常のジャケットのライナ及びシェルは、ジャケットの前部のところでひだになって満腹時のように膨らんだ形となる。この膨らみは、ジャケットの布が着用者の腕の所要の弧状移動経路中へ突き出るのでゴルフスイングの邪魔になる。
【０００３】
米国特許第５，２１８，７２０号は、着用者の背中に当たるよう柔軟性のないライナの後部パネルに縫い込まれた柔軟性のある材料又はインサートを備えたジャケットを開示している。スナップ式留め具を備えた水平方向ストラップが、ライナの後部パネル及び前部パネルに縫いつけられている。ライナは、スナップ式留め具をこのストラップに設けられた受け具に取り付けることによって調節可能である。その結果、インサートは、ジャケットのシェルにひだを生じさせることなく着用者の背中に押し当てられる。しかしながら、この米国特許の教示は、着用者がかがんだ時に生じるシェルそれ自体のひだ付きを軽減しない。ジャケットの前部は、依然としてひだになり、着用者が前へかがんだ時にゴルフスイングの邪魔をする。また、スナップ式留め具はジャケットの内部に配置されているので、着用者はまず最初にジャケットを脱いで調節を行い、次にジャケットを再び着てこれが合っているかどうかを試し、そして快適な調節具合が達成されるまでこれらの作業を繰り返さなければならない。
【０００４】
他の特許文献は、これとは異なる調節可能なジャケットライナを教示している。例えば、米国特許第２，３９１，３５２号は、帯がシェルとライナとの間に配置されたコートを教示している。帯の端は、ジャケットの内部に突き出て互いに取り付けられ、ライナを着用者の周りに引っ張るようになっている。
【０００５】
また、従来ジャケットは、単一の布パネルを単一の真っ直ぐな継ぎ目に沿ってそれ自体に縫いつけて形成される。パネルは一般に、腰に向かってテーパするよう裁断される。凸状の辺を備えた布の当て切れ又は襠は、ゆとりを一段と持たせるよう肘部の後部のところで袖に縫いつけられる場合が多い。肘部に至るプリーツもまた、着用者が自分の腕を曲げることができるよう肘部のゆとりを増大させるのに用いられている。肘部のところでの素材が足りないと、袖の袖口は、ある特定の腕の動作中に着用者の手首部から引き戻される場合がある。
【０００６】
この問題の解決策として、米国特許第５，１３８，７１７号は、円錐形の当て切れによって偽又は疑似袖口の内部に設けられたリストレットを有するピストン・シリンダー形袖口を教示している。かくして、着用者の手首部に当たるリストレットは、疑似袖口内で入れ子状に伸縮してリストレットが腕のスイング動作中に着用者の腕に沿ってずり上がらないようにすることができる。
【０００７】
着用者の腕の動きやすさを向上させることができるよう設計された従来型袖は、過度にだぶだぶの状態となっており、行う動作によってはその動作中にひだになるか、あるいは多数の布切れ及び継ぎ目を必要とする。相当単純で少数の継ぎ目を用いることは、製造上の手の込み具合及びコストを最小限に抑える上で望ましい。
【０００８】
〔発明の概要〕
本発明は、アウターシェルの一部の布のひだ付きを軽減する衣服に関する。この衣服は好ましくは、引っ張り可能な腹部分及び袖から膨らみを除くことができ、しかもスポーツ、例えばゴルフをするときに必要なあらゆる動きを可能にするゴルフジャケットである。腹帯の端は、シェルの外部に突出してシェルに固定できる。これらの腹帯の端はジャケットの外部から操作でき、好ましくはシェルとライナとの間から、シェルの外部に設けられたポケット内に配置されているシェルの穴を貫通して突出する。
【０００９】
腹帯の端をシェルに固定すると、腹帯は腹部分の前部を平らにし、もしそうでなければひだを生じた布が、着用者のゴルフスイングの邪魔になることがないようにする。腹帯中の張力は、腹帯の端を種々の相対的位置のうちの一つの位置でシェルに固定することにより調節できる。
【００１０】
本発明に従って構成されたジャケットの袖は、袖の後部に沿って肩部から袖の肘部まで延び、そして袖の手首部まで延びる後部継ぎ目によって互いに取り付けられた凸状の縁を備える少なくとも２枚のパネルを有している。凸状の縁は、肘部に向かって減少する半径で湾曲している。好ましい実施形態では、袖のパネルは又、前部継ぎ目及び後部継ぎ目によって互いに取り付けられている。前部継ぎ目のところで接合されたパネルの縁は、凹状であり、底部継ぎ目のところで接合されたパネル縁のうちの一方は凸状であり、他方は凹状である。これら継ぎ目により袖の形状の局部的制御を行って必要な場合に所望の曲率及び余分の材料を提供すると共に膨らみがあると好ましくない場所、例えば袖の前部の膨らみを除くことができる。袖の手首部のところの袖口がゴルフスイング中に腕に沿ってずり上がる傾向は、手の込んだ当て切れ又はプリーツを必要としないで大幅に小さくなる。
【００１１】
〔好ましい実施形態の詳細な説明〕
図１及び図２を参照すると、ジャケット１０は、好ましくは防水性のシェル１２及びライナ１４を有している。ジャケット１０の胴体部分は、シェル１２の前部シェルパネル１６並びにライナ１４の前部ライナパネル２０及び後部ライナパネル２２で形成されている。胴体部分のパネル１６，１８，２０，２２は各々好ましくは、ジャケット１０のスタイルづくりが得られるようにすると共に所望の形状を得るために選択された複数の小さなパネルを有している。クロージャ、好ましくはメインジッパ２４が、ライナ１４及びシェル１２に取り付けられ、ジャケット１０の前部の中央を下に延びて前部パネル１６，２０を分離可能に接合している。胴体部分の底部のところには、底部へり２６が設けられ、この底部へり２６は、底部へり２６を着用者の周りにぴったりと引きつけるための弾性部分２８を有している。メインジッパ２４を閉じると、シェル１２及びライナ１４は、着用者を包囲するような形態になる。
【００１２】
ジャケット１０は、袖３０を有し、この袖３０は、シェル１２の袖部分３２，３４及びライナ１４を有している。袖の端に取り付けられた袖口３６が好ましくは、種々の手首のサイズに合うよう周長が調節可能である。かくして、袖口３６は好ましくは、弾性があり、袖口のサイズを変えるよう袖口３６の少なくとも２つの場所のうち一方にスナップ動作で取り付けられるフラップ３８を有している。
【００１３】
ライナ１４とシェル１２は、その縁４０のところで互いに縫いつけられている。縫いつけ縁４０は、袖３０が袖口３６と交わるところ、メインジッパ２４の各側、ジャケット１０のカラー４１の周り、及び底部へり２６のところに設けられている。縫いつけ縁４０の間では、シェル１２とライナ１４は互いに実質的に離れている。かくして、シェル１２とライナ１４の内部にはこれらの間に内側空間４２が形成されている。
【００１４】
図１〜図４を参照すると、シェルは、ライナ１４に向いたシェル１２の内部に設けられると共に内側空間４２内に位置した補強ウェブ４４を有している。ウェブ４４は、底辺４６が凸状に湾曲した実質的に三角形の形、好ましくはパイをスラスイした形をしており、底辺４６がメインジッパ２４に向いた状態で湾曲した底辺４６に沿ってシェルの前部パネル１６に縫いつけられている。ウェブ４４はウェブ開口部４８を有し、これら開口部の周りに、アイレット５０が取り付けられている。湾曲した底辺４６は、ウェブ開口部４８よりも幅が広い。シェルの前部パネル１６に形成されたシェル開口部４２も又、アイレット５０で補強されており、ウェブ開口部４８と実質的に整列している。
【００１５】
ストラップ５４は、ライナ１４から遠ざかる方向に向いたシェル１２の外部にでは、ウェブ４４の湾曲した底辺４６の中央と反対側でシェルの前部パネル１６に縫いつけられている。ストラップ５４は、固定具に取り付けられており、かかる固定具は好ましくは、コードロック又はひも止５６である。紐止め５６は各々、ハウジング５４及びクランプ部分６０を有し、これらハウジングとクランプ部分は、一緒になって紐止め開口部６２を構成し、これらの間に配置されたばね６４によって互いに対してクランプ部分に向かって付勢されている。ウェブ開口部４８、シェル開口部５２及び紐止め開口部６２は、メインジッパ２４から遠ざかる方向に引っ張られると、実質的に互いに整列する。
【００１６】
シェル１２は、ポケットカバー６８によって形成されたポケット６６を更に有している。シェル開口部５２は、ポケット６６内に設けられている。シェル１２のポケットジッパ７０はポケット６６を選択的に開閉する。シェル１２の外部に設けられたポケットフラップ７２は、各ポケットジッパ７５を覆っている。
【００１７】
ジャケット１０は、弾性帯７６及び引き紐７８を含む腹帯７４を更に有し、この引き紐７８もまた好ましくは弾性である。弾性帯７６は、内側空間４２内に配置されている。引き紐７８は、弾性帯７６の端部に設けられたアイレット７９に通されて引き戻され、それら自体の上に縫いつけられている。引き紐７８は、ウェブ開口部４８、シェル開口部５２及び紐止め開口部６２に通されている。
【００１８】
弾性帯７６は、アイレット７９相互間で帯長さに対して垂直な帯高さ８０を有している。内側空間４２は、好ましくは帯高さ８０の少なくとも３倍の長さである高さ８１を有している。これにより、着用者が例えばゴルフのようなスポーツをしているときに最高の動きやすさが保たれる。
【００１９】
図２、図３及び図５に示すように、布のループ８２が、ループ８２の頂部のところに設けられた縫い目８４のところでライナに縫いつけられている。弾性帯７６は、ループ８２中に受け入れられて縫い目８８のところでこれに縫いつけられている。ループ８２は、腹帯７４をジャケット１０の腹部分の周りに保持するよう弾性帯７６をライナ１４に固定し、腹帯７４がその理想的な位置から垂直方向に滑り落ちることがないようにしている。
【００２０】
図３及び図４は、紐止め５６のうち一方によってシェル１２に固定された引き紐７８のうち一方を示している。紐止め５６は、シェル開口部５２によりも大きな寸法に設定されており、かくしてこれを通り抜けないようになっている。紐止め５６は、引き紐７８及びストラップ５４にクランプされている。弾性帯７６は、自然な状態で取る長さから或る距離だけ引き伸ばされ、引き紐７８は紐止め５６をシェル開口部５２に引きつける。紐止め５６がシェル開口部５２中に受け入れ可能でなければ、引き紐７８はシェル１２にこれに対して第１の位置で固定される。かくして、シェル開口部５２の周りの領域は、ジャケット１０の固定部分となる。シェル１２の外部に位置した引き紐７８の部分は、ポケット６６の内部に位置していて視界から隠れたままである。引き紐７８はまた、ウェブ４４に引っ張り作用を及ぼし、それによりシェル１２を補強する。これと同様な構造が、ジャケット１０の他方の側に設けられている。
【００２１】
ジャケット１０の腹部分の周りに延びると共に着用者９２の腹を包囲する閉鎖経路が、腹帯７４及びシェル１２の引っ張り可能な部分９４によって構成され、この引っ張り可能な部分は、引き紐７８が固定される場所相互間でジャケット１０の前部に設けられている。引っ張り可能な部分９４は好ましくは、ジャケット１０の前部の１／３以上にわたって延びている。閉鎖経路は、ジッパ２４を横切って延びている。弾性帯７６及び引き紐７８の部分を引き伸ばすと、張力が閉鎖経路に沿って生じる。その結果、ライナ１４及びシェル１２の前部の引っ張り可能な部分９４は、着用者９２に引きつけられる。ウェブ４４の幅の広いベース４６は、引っ張られた腹帯７４によって生じる張力をシェル１２の前部の広い領域全体に拡散し、引っ張り可能な部分９４を広げることにより閉鎖経路を効果的に拡張する。好ましくは、ウェブ４４のベース４６の幅は、引き紐７８、シェル開口部４８、ウェブ開口部５２又はアイレット５０の幅の少なくとも約３倍である。
【００２２】
その結果、膨らみはシェル１２の前部から除かれ、これは着用者のゴルフスイングの邪魔にならないように引っ張られる。ジャケット１０の側部及び後部に位置したシェル１２の残部は、腹帯７４の張力を受けず、かくして膨らんだ状態を保つ。
【００２３】
図６は、腹帯７４の調節の仕方を示している。メインジッパ２４は依然として閉じられ、ジャケット１０は依然として着用されている。しかしながら、ポケットジッパ７０は開かれていて、引き紐７８及び紐止め５６がジャケット１０の外部から操作できるようになっている。引き紐７８は、矢印９６で示すようにポケット６６から引き出される。
【００２４】
ストラップ５４は、紐止め５６をポケット６６内に且つシェル開口部５２及びウェブ開口部４８に比較的近接して保持する。クランプ部分６０の構造及びばね６４の剛さの度合いは、腹帯７４の張力に起因する紐止めを通る引き紐７８の移動が紐止め５６の抵抗を受けるが、引き紐７８が腹帯７４によって達成可能な力よりも大きな力で付勢されると紐止め５６を通って一段と引っ張ることができるようなものである。かくして、図示のように引き紐７８をポケットから引き出すことにより弾性帯７６は一段と引き伸ばされる。引き紐７８を引っ張ることにより腹帯７４が図示のように引っ張られているとき、紐止め５６及びウェブ４４を含むシェル１２の引っ張り可能な部分９４は、引っ張りに抵抗する。
【００２５】
図６では、紐止め５６は、図３に示す場合よりも一層長い距離だけ引き伸ばされた状態で示されている。着用者が引き紐７８を話すと、紐止め５６は再び引き紐７８に締め付け作用を及ぼし、引き紐７８をシェル１２に対して第２の位置でシェル１２に固定する。引き紐７８が第２の位置に固定されている状態では、腹帯７４は、引き紐７８がシェル１２に対して第１の位置にある場合よりも着用者の腹の周りに一層緊密に引きつけられる。
【００２６】
腹帯７４を弛めるためには、着用者はポケット６６を開き、紐止めのクランプ部分６０の頂部９８をハウジング５８内に押し込み、引き紐７８に対する紐止め５６の把持作用を解除して弾性部材７６が縮むことができるようにし、引き紐７８を、紐止め５６を通して弛みの一層大きな位置まで引き戻す。
【００２７】
着用者がメインジッパ２４を外してジャケット１０を脱ぐと、先に閉鎖された経路が開かれ、紐止め５６は、引き紐７８及びシェル１２と連携したままの状態になり、メインジッパ２４を再び閉じる前に調節を終わらす必要はないようになる。好ましい実施形態では、紐止め５６は、引き紐７８に固定されたままであり、したがってメインジッパ２４を再び着用者の周りに閉じると、弾性帯７６は自動的に引っ張らされるようになる。
【００２８】
さらに、ジャケット１０の着用中に腹帯７４の調節を行うことができる。その結果、着用者は、腹帯７４の張力の変化をこれを行いながら感じることができ、ジャケットを調節のために脱ぐ必要のある場合には必要な試行錯誤の繰り返しを行う必要は無くなる。さらに、腹帯７４の張力は無段階に変えることができる。
【００２９】
図７の変形実施形態を参照すると、ジャケット１００は、メインジッパ２４の各側でシェル１２の外部に縫いつけられた張力分散型弾性垂直バー１０２を有している。かくして、バー１０２は、閉鎖経路に沿って互いに直列状態で設けられている。分かりやすくするために、図７にはジャケットのポケットは示していない。バー１０２は、腹帯７４がシェルのアイレット５０を引っ張って互いに遠ざけているときに腹帯７４の引張力をジャケット１００の広い引っ張り可能な部分１０４上に分散させる。
【００３０】
図１、図２及び図８を参照すると、好ましい実施形態の各袖３０は好ましくは、３枚の布パネルから成り、これら布パネルは、これらがジャケットの胴体部分に取り付けられる袖の肩部から袖口３６まで延びている。これらパネルは、頂部パネル１０６、後方パネル１０８及び前方パネル１１０である。線１１１は、パネルをシート状の生地から切断するときに布の使用量を最小限に抑えるとともにパネルの各方向における品質的に適正な伸び具合を得るために選択された各パネル中の繊維の配向状態を示している。例えば、前方パネル１１０中の布は、線１１１に沿って前方パネル１１０の長さ方向に対して斜めに配向した繊維を有している。
【００３１】
頂部パネル１０６及び後部パネル１０８のそれぞれの全体として凸状の後縁１１２及び１１４は、図２に示す後部継ぎ目１１６のところで互いに取り付けられている。後部継ぎ目１１６は、袖３０の後部に沿って袖の肩部１１８の後部から袖の肘部１２０の後部まで達し、そして袖の手首部１２２の後部まで延び、ここで袖３０は、袖口３６につながっている。
【００３２】
後部継ぎ目１１６は着用者の肘部のすぐ後ろに配置されているので、後部継ぎ目１１６の形状は、袖３０内での着用者の腕の動きやすさに直接影響を及ぼす。頂部パネル１０６の縁１１２及び後部パネル１０８の縁１１４は、肘部１２０に向かって減少する半径１２３の凸状の曲率を有している。半径１２３は好ましくは、肘部１２０と手首部１２２の間の約半分のところで最大に達し、縁１１２，１１４は、これらの広がりの実質的に全体に沿って湾曲している。縁１１２，１１４の半径１２３は最小が好ましくは、袖３０がジャケットのカラー４１に縫いつけられている肩部の頂部から手首部までの袖３０の長さ１２４の約３倍以下である。より好ましくは、最小半径１２３は、袖３０の長さ１２４よりも小さい。後縁１１４の平均曲率は、後縁１１２の平均曲率よりも湾曲度が好ましくは一層大きい。
【００３３】
この構成により、着用者の肘部の後ろには、袖口３６を着用者の手首部から実質的に引き離さないで肘部が曲がることができるようにするゆとり空間が得られる。さらに、後部継ぎ目１１６によって袖３０の後部のところに得られるゆとり空間により、袖口３６は、ゴルフのアップスイング中、着用者の腕が着用者の胸を横切って伸ばされるときでも着用者の手首部の周りに適正に位置したままであるようになる。
【００３４】
頂部パネル１０６の全体として凹状の前縁１２５及び前方パネル１１０の全体として凹状の前縁１２６は、図１に示す前部継ぎ目１２８のところで互いに取り付けられている。前部継ぎ目１２８は、袖３０の前部に沿って袖の肩部１３０の前部から袖の肘部１３２の前部まで、そして袖の手首部１３４の前部まで延びる。好ましくは、前縁１２６は、前縁１２５よりも小さな平均曲率を有している。頂部パネル１０６及び前方パネル１１０のそれぞれの２つの凹状の縁１２５，１２６は半径１２３を備えていて、腕が休息位置にある状態では袖３０中に自然な曲がり具合が得られる。また、このように曲げることにより肘部１３２の前部のところにおける布の量が減少するので、この場所におけるパネルのひだ付き及び過度のだぶつきは軽減される。
【００３５】
後部パネル１０８の凹状底縁１３６は、底部継ぎ目１４０のところで前方パネル１１０の凸状底縁１３８に取り付けられている。底縁１３６，１３８は、半径１２３で湾曲している。凹状底縁１３６の平均曲率は好ましくは、凸状底縁１３８の平均曲率よりも大きいが、凸状底縁１３８の肘部のところの曲率半径１２３は、凹状縁１３６の肘部のところの曲率半径１２３よりも小さい。底部継ぎ目１４０は、袖３０の底部に沿って、袖の肩部１４２の底部又は腋の下から袖の肘部１４４の底部まで、そして袖の手首部１４６の底部まで延びている。底部継ぎ目１４０は好ましくは、着用者の腕が底部へり２６を最小限にしか持ち上げないで着用者の頭の上に伸ばすことができるような形状になっている。底部継ぎ目１４０は又、手首部に向かう袖３０のテーパを調整するのに役立ち、かかる調整により好ましくは、着用者の手首部は後ろへ曲がることができ、この場合、袖口３６がその適正な位置から引っ張られることはない。このテーパは、他の継ぎ目のところにおける袖の部分の形状を損なわないで底部縁部１３６，１３８の形状によって調整できる。
【００３６】
袖の３つの継ぎ目を利用することにより、袖３０に３つの互いに異なる布を用いることができるだけでなく、これら継ぎ目により、袖３０に複雑な曲線が得られ、袖３０の長さに沿う任意の場所で袖３０内に得られるゆとりを効果的に調整することができる。継ぎ目の配置場所により、袖３０の形状を局部的に調整することができる。上述したように、その結果得られる袖３０により、ゴルフスイング全体を通じて全域にわたる動作が可能になり、袖口３６の実質的なずれを生じさせることなくこの動作を可能にする。
【００３７】
着用者の肘部の後ろ及びその下のゆとり空間の量を一段と多くするために、頂部パネル１０６及び後方パネル１０８のそれぞれの凹状縁１３６，１２５は、これらパネル１０６，１０８のそれぞれの凸状縁１１２，１１４よりも一層シャープに湾曲している。他方、袖の前部のところのだぶつきを少なくするために、前方パネルの凹状縁１２６の湾曲の度合いは、その凸状縁１３８の湾曲の度合いよりも小さい。
【００３８】
袖３０の好ましい複雑な曲線の結果として、袖を平らな表面上に平らにして置くことはできない。このようにしようとしても、袖口３６の近くで袖３０に少なくとも折り目が生じることになる。
【００３９】
図１に示すように、各袖３５は、袖口３６に隣接して小さなプリーツ１４８を有している。肩部から手首部まで延びる上述の３つの継ぎ目により、プリーツを相当多く設ける必要は無くなる。プリーツ１４８は、手首部のところでの袖３０の細まり具合を促進するために設けられている。しかしながら、肩部から袖３０の長さ１２４の２／３以上にわたって手首部に向かって延びる袖３０の少なくとも基端側部分１５０には実質的にプリーツが無いことが好ましい。
【００４０】
当業者であれば、多くの改造例及び設計変更例を想到できる。例えば、腹帯を、マジックテープ式締結具によってシェルに固定でき、このマジックテープ式締結具により、シェル上の複数の場所に固定することができる。これら設計変更例は全て、特許請求の範囲に記載された本発明の精神及び範囲に属する。
【図面の簡単な説明】
【図１】本発明に従って構成されたジャケットの好ましい実施形態の部分切除正面図である。
【図２】ジャケットの部分切除背面図である。
【図３】ジャケットの一部の断面平面図である。
【図４】ジャケットの前部の一部の拡大断面図である。
【図５】ジャケットの後部の一部の断面側面図である。
【図６】ポケットを開いた状態のジャケットの一部の断面平面図である。
【図７】本発明に従って構成されたジャケットの変形実施形態の部分切除正面図である。
【図８】ジャケットシェルの袖を構成する好ましいパネルを示す図である。
【図１】
0003597466.tif 000002
【図２】
0003597466.tif 000003
【図３】
0003597466.tif 000004
【図４】
0003597466.tif 000005
【図５】
0003597466.tif 000006
【図６】
0003597466.tif 000007
【図７】
0003597466.tif 000008
【図８】
0003597466.tif 000009